(57)【特許請求の範囲】
【請求項１】
プロジェクターを光束が投写される投写面から所定の距離に離間した位置に支持固定するためのプロジェクター用支持具であって、
前記プロジェクター用支持具が設置される設置面に設置され、前記設置面に平行な方向に延在する第１の支持部と、前記第１の支持部に平行に延在する第２の支持部と、を有するベースプレートと、
一端側に前記プロジェクターが取付られる取付部を有し、他端側に前記第１の支持部または前記第２の支持部に嵌合して固定される嵌合部を有するアームと、を備え、
前記支持部の延在方向と垂直な方向における前記第１の支持部と前記ベースプレートの一端との距離は、前記第２の支持部と前記ベースプレートの他端との距離と異なることを特徴とするプロジェクター用支持具。
【請求項２】
請求項１に記載のプロジェクター用支持具であって、
前記支持部の延在方向と垂直な方向における前記第２の支持部と前記ベースプレートの一端との距離は、前記第２の支持部と前記ベースプレートの他端との距離と異なることを特徴とするプロジェクター用支持具。
【請求項３】
請求項１または２に記載のプロジェクター用支持具であって、
前記第１の支持部または前記第２の支持部のいずれかは、
前記ベースプレートが略水平となるように前記プロジェクター用支持具が設置されたときに、前記プロジェクターおよび前記プロジェクター用支持具を含む全体の重心からの鉛直線が前記ベースプレートの略中央を通過するように配置されていることを特徴とするプロジェクター用支持具。
【請求項４】
請求項１から３のいずれか一項に記載のプロジェクター用支持具であって、
前記アームは、前記プロジェクターが取付けられた状態で前記プロジェクターの姿勢および投写位置を調整する機構を備えていることを特徴とするプロジェクター用支持具。
【請求項５】
請求項１から４のいずれか一項に記載のプロジェクター用支持具であって、
前記ベースプレートは、前記設置面側にクッション材が配置されていることを特徴とするプロジェクター用支持具。
【請求項６】
請求項５に記載のプロジェクター用支持具であって、
前記ベースプレートの設置面側に前記クッション材を配置するためのガイド部が設けられていることを特徴とするプロジェクター用支持具。
【発明の詳細な説明】
【技術分野】
【０００１】
本発明は、プロジェクター用支持具に関する。
【背景技術】
【０００２】
投写レンズから投写される光束を反射ミラーにより広角化して投写するプロジェクターが知られている（例えば、特許文献１参照）。このようなプロジェクターは、投写面に対して近距離から大画面で投写できるので、壁面に設置する壁掛け設置や机上に縦置きする机上設置に適している。
【０００３】
特許文献１に記載のプロジェクターでは、天井から吊り下げる天吊設置および机上設置のそれぞれの場合で異なるプロジェクター用支持具が用いられる。特許文献１の図１４（ａ）に天吊設置用のプロジェクター用支持具（保持機構）が示されており、保持機構の所定の位置にプロジェクターが固定される。この保持機構のような支持具を壁面に取り付ければ、プロジェクターを壁掛け設置することも可能となる。また、特許文献１の図１９には、プロジェクターを机上設置するためのプロジェクター用支持具（スタンド）が示されている。
【先行技術文献】
【特許文献】
【０００４】
【特許文献１】特開２００８−２５０２８３号公報
【発明の概要】
【発明が解決しようとする課題】
【０００５】
しかしながら、例えば、特許文献１に記載の保持機構のような構成の支持具を用いてプロジェクターを壁掛け設置すると、支持具の壁面に設置される部分（以下ではベースプレートと呼ぶ）の上端がプロジェクターの上端よりも高い位置となる。そのため、天井が比較的低い設置環境においては、ベースプレートの上端位置が天井の高さに制約され、支持具を所望の高さよりも低く設置しなければならない場合がある。
また、ベースプレートの下端がプロジェクターの下端よりも低い位置となるため、壁面にスクリーンやホワイトボード等が配置されていると、ベースプレートの下端位置がスクリーンやホワイトボード等の上端に制約され、支持具を所望の高さよりも高く設置しなければならない場合がある。このように、設置環境によりプロジェクター用支持具の設置位置が制約されると、プロジェクターを所望の高さに設置できないという課題がある。
【０００６】
一方、特許文献１に記載のプロジェクターを机上設置する際は、天吊設置用の保持機構とは別に机上設置専用のスタンドを必要とする。また、このスタンドはプロジェクターの姿勢や投写位置を調整する機構を有していない。反射ミラーにより広角化して投写するプロジェクターでは、姿勢や投写位置のわずかなズレが投写面に対して大きなズレとなるため、このようなスタンドではプロジェクターからの投写画像の投写面に対する位置合わせを容易に行えないという課題がある。
【課題を解決するための手段】
【０００７】
本発明は、上述の課題の少なくとも一部を解決するためになされたものであり、以下の形態又は適用例として実現することが可能である。
【０００８】
［適用例１］本適用例に係るプロジェクター用支持具は、プロジェクターを光束が投写される投写面から所定の距離に離間した位置に支持固定するためのプロジェクター用支持具であって、前記プロジェクター用支持具が設置される設置面に設置され、前記設置面に平行な方向に延在する第１の支持部と、前記第１の支持部に平行に延在する第２の支持部と、を有するベースプレートと、一端側に前記プロジェクターが取付られる取付部を有し、他端側に前記第１の支持部または前記第２の支持部に嵌合して固定される嵌合部を有するアームと、を備え、前記支持部の延在方向と垂直な方向における前記第１の支持部と前記ベースプレートの一端との距離は、前記第２の支持部と前記ベースプレートの他端との距離と異なることを特徴とする。
【０００９】
この構成によれば、プロジェクター用支持具を、例えば、支持部の延在方向と垂直な方向を上下方向として壁面に設置する際に、ベースプレートの一端が上方側となるようにベースプレートを配置し嵌合部を第１の支持部と嵌合させてアームを固定する場合と、他端が上方側となるようにベースプレートを配置し嵌合部を第２の支持部と嵌合させてアームを固定する場合とで、ベースプレートの上方側の端部に対するアームの高さが異なる。このため、プロジェクターをプロジェクター用支持具により支持固定する際に、設置場所の環境に応じてプロジェクターとベースプレートとの相対的な位置を少なくとも２通りのいずれかに設定できる。これにより、プロジェクター用支持具の設置位置が制約を受ける場合でも、プロジェクターを投写面に対して所望の位置に設置し易くすることができる。この結果、プロジェクターの設置の自由度を向上させることができる。
【００１０】
［適用例２］上記適用例に係るプロジェクター用支持具であって、前記支持部の延在方向と垂直な方向における前記第２の支持部と前記ベースプレートの一端との距離は、前記第２の支持部と前記ベースプレートの他端との距離と異なることが好ましい。
【００１１】
この構成によれば、ベースプレートの一端が上方側となるようにベースプレートを配置し嵌合部を第２の支持部と嵌合させてアームを固定する場合のベースプレートの上方側の端部に対するアームの高さは、一端が上方側となるようにベースプレートを配置し嵌合部を第１の支持部と嵌合させる場合、および他端が上方側となるようにベースプレートを配置し嵌合部を第２の支持部と嵌合させる場合のベースプレートの上方側の端部に対するアームの高さと異なる。これにより、プロジェクターとベースプレートとの相対的な位置を３通りのいずれかに設定できるので、プロジェクターの設置の自由度をより向上させることができる。
【００１２】
［適用例３］上記適用例に係るプロジェクター用支持具であって、前記第１の支持部または前記第２の支持部のいずれかは、前記ベースプレートが略水平となるように前記プロジェクター用支持具が設置されたときに、前記プロジェクターおよび前記プロジェクター用支持具を含む全体の重心からの鉛直線が前記ベースプレートの略中央を通過するように配置されていることが好ましい。
【００１３】
この構成によれば、プロジェクターが支持固定されたプロジェクター用支持具を机上面等の略水平な面に設置する際、プロジェクターおよびプロジェクター用支持具の全体の重心からの鉛直線がベースプレートの略中央を通過するように配置されるので、プロジェクター用支持具が転倒しにくくなる。このため、プロジェクターを、壁面だけでなく机上面等の略水平な面にも安定して支持固定することができる。
【００１４】
［適用例４］上記適用例に係るプロジェクター用支持具であって、前記アームは、前記プロジェクターが取付けられた状態で前記プロジェクターの姿勢および投写位置を調整する機構を備えていることが好ましい。
【００１５】
この構成によれば、プロジェクター用支持具に取り付けた状態でプロジェクターの姿勢および投写位置を調整することができるので、壁面に設置する場合および机上面に設置する場合等、設置する場所の様々な環境に応じて、プロジェクターを投写面に合わせて設置し易くすることができる。
【００１６】
［適用例５］上記適用例に係るプロジェクター用支持具であって、前記ベースプレートは、前記設置面側にクッション材が配置されていることが好ましい。
【００１７】
この構成によれば、ベースプレートの設置面側にクッション材が配置されており、ベースプレートが設置面に直接当たらないので、設置面における傷等の損傷防止を図ることができる。
【００１８】
［適用例６］上記適用例に係るプロジェクター用支持具であって、前記ベースプレートの設置面側に前記クッション材を配置するためのガイド部が設けられていることが好ましい。
【００１９】
この構成によれば、ベースプレートにクッション材を配置するためのガイド部が設けられているので、クッション材をベースプレートの所定の位置に容易に配置することができる。
【図面の簡単な説明】
【００２０】
【図１】第１の実施形態に係るプロジェクター用支持具に取り付けられるプロジェクターの概略構成を示す図。
【図２】プロジェクターの光学系を模式的に示す図。
【図３】第１の実施形態に係るプロジェクター用支持具にプロジェクターを固定した状態を示す図。
【図４】壁面に設置したプロジェクター用支持具にプロジェクターを固定してスクリーンに投写した状態を示す図。
【図５】第１の実施形態に係るプロジェクター用支持具の構成を説明する図。
【図６】第１の実施形態に係るプロジェクター用支持具の構成を説明する図。
【図７】第２の取付位置におけるベースプレートへのアームの取付位置を説明する図。
【図８】机上設置したプロジェクター用支持具にプロジェクターを固定してスクリーンに投写した状態を示す図。
【図９】机上設置したプロジェクター用支持具を下方向から見た図。
【図１０】第２の実施形態に係るプロジェクター用支持具の構成を説明する図。
【図１１】第２の実施形態に係るプロジェクター用支持具の構成を説明する図。
【発明を実施するための形態】
【００２１】
以下に、本発明の一実施形態について図面を参照して説明する。なお、参照する各図面において、構成をわかりやすく示すため、各構成要素の寸法の比率、角度等が異なる場合がある。
【００２２】
（第１の実施形態）
＜プロジェクター＞
まず、第１の実施形態に係るプロジェクター用支持具に取り付けられるプロジェクターの概略構成を、図１を参照して説明する。図１は、第１の実施形態に係るプロジェクター用支持具に取り付けられるプロジェクターの概略構成を示す図である。詳しくは、図１（ａ）は表面を上方向にした状態の斜視図であり、図１（ｂ）は、底面を上方向にした状態の斜視図である。
【００２３】
本実施形態に係るプロジェクター５は、光源から射出される光束を画像情報に応じて変調してスクリーン等の投写面に拡大投写する電子機器であり、投写面に対して近距離から大画面で投写させる、いわゆる短焦点のプロジェクターである。また、本実施形態のプロジェクター５は、壁面に設置する壁掛け設置および机上に縦置きする机上設置に対応可能な構造となっている。
【００２４】
図１（ａ）および（ｂ）に示すように、プロジェクター５は、略直方体形状の外装筐体７で覆われている。プロジェクター５において、光束が射出される側の面を表面７ａと呼び、その反対側の面を底面７ｂと呼ぶ。そして、表面７ａおよび底面７ｂと交差する面を背面７ｃと呼ぶ。プロジェクター５の表面７ａには、操作入力を行うスイッチ部７１０や、光束を透過させる防塵用の投写窓７２０等が設置されている。投写窓７２０の内面側（外装筐体７内部）には、後述する投写光学装置６００が設置されており、投写光学装置６００から射出された光束は、投写窓７２０を透過し、表面７ａ側から背面７ｃ側に向けて投写される。
【００２５】
図１（ｂ）に示すように、プロジェクター５の底面７ｂには、プロジェクター５を壁面や机上等に設置する場合に、第１の実施形態のプロジェクター用支持具１に備えられた取付部４０（図３（ａ）参照）に固定するための固定用脚７３０が４箇所突出して配置されている。固定用脚７３０にはナット（図示省略）が挿入されており、このナットに固定用のネジ部材が螺合することで、固定用脚７３０が取付部４０に固定される。また、底面７ｂには、穴部７４０が設けられている。この穴部７４０には、プロジェクター５に接続されるケーブル類（図示省略）が挿入され、外装筐体７内部に配置されたインターフェイス基板（図示省略）に電気的に接続される。
【００２６】
続いて、本実施形態に係るプロジェクター５の光学系の概略構成を、図２を参照して説明する。図２は、プロジェクターの光学系を模式的に示す図である。
【００２７】
プロジェクター５は、外装筐体７内部に、光学ユニット６と、プロジェクター５を動作させるための制御部（図示省略）等を含む回路構成部（図示省略）等を備えている。光学ユニット６は、光学部品用筐体８と、光源装置１００と、照明光学装置２００と、色分離光学装置３００と、リレー光学装置４００と、光変調装置５００と、投写光学装置６００とを備えている。照明光学装置２００、色分離光学装置３００、リレー光学装置４００、および光変調装置５００の各装置を構成する光学部品は光学部品用筐体８に収納されている。
【００２８】
光源装置１００は、光束を射出する発光管１１０と、リフレクター１２０とを備えている。光源装置１００は、発光管１１０から射出された光束をリフレクター１２０で反射させて射出方向を揃え、照明光学装置２００に向けて射出する。照明光軸ＯＣは、光源装置１００から被照明領域側に射出される光束の中心軸である。
【００２９】
照明光学装置２００は、レンズアレイ２１０，２２０と、偏光変換素子２３０と、重畳レンズ２４０と、３つのフィールドレンズ２５０とを備えている。照明光学装置２００は、光源装置１００から射出された光束に対し、照明光軸ＯＣと直交する面内での照度を均一化する。フィールドレンズ２５０は、光変調装置５００の３つの液晶装置５２０の手前に配置され、レンズアレイ２２０から射出された各部分光束をその中心軸に対して平行な光束に変換する。
【００３０】
色分離光学装置３００は、ダイクロイックミラー３１０，３２０と、反射ミラー３３０とを備えている。色分離光学装置３００は、照明光学装置２００から射出された光束を、赤色（Ｒ）光、緑色（Ｇ）光、青色（Ｂ）光の３色の色光に分離して３つの液晶装置５２０に導光する。
【００３１】
リレー光学装置４００は、入射側レンズ４１０と、リレーレンズ４２０と、反射ミラー４３０，４４０とを備えている。リレー光学装置４００は、色分離光学装置３００で分離された色光（本実施形態ではＲ光）に対し、光路の長さが他の色光の光路の長さよりも長くなるため、光の発散などによる光の利用効率の低下を防止し、液晶装置５２０（本実施形態では液晶装置５２０Ｒ）まで導く。
【００３２】
光変調装置５００は、３つの入射側偏光板５１０と、３つの液晶装置５２０Ｒ，５２０Ｇ，５２０Ｂと、３つの射出側偏光板５３０と、クロスダイクロイックプリズム５４０とを備えている。入射側偏光板５１０および射出側偏光板５３０は、液晶装置５２０Ｒ，５２０Ｇ，５２０Ｂ毎に設けられている。液晶装置５２０Ｒ，５２０Ｇ，５２０Ｂは、色分離光学装置３００で分離された各色光を画像情報に応じて変調する。クロスダイクロイックプリズム５４０は、液晶装置５２０Ｒ，５２０Ｇ，５２０Ｂにて変調された各色光を合成し、投写光学装置６００側に射出する。
【００３３】
投写光学装置６００は、投写レンズ６１０と、曲面を有する反射ミラー６２０とを備えている。投写光学装置６００は、光変調装置５００で変調され合成された光束を、投写レンズ６１０で拡大し反射ミラー６２０で反射してスクリーン等の投写面上に拡大投写する。
【００３４】
＜プロジェクター用支持具＞
次に、第１の実施形態に係るプロジェクター用支持具１を説明する。プロジェクター用支持具１は、プロジェクター５を光束が投写されるスクリーン等の投写面から所定の距離に離間した位置に支持固定するための支持具である。また、プロジェクター用支持具１は、プロジェクター５を支持固定した状態で、壁面に設置する壁掛け設置、および机上に縦置きする机上設置が可能な構造となっている。
【００３５】
（壁掛け設置の場合）
まず、第１の実施形態に係るプロジェクター用支持具１の概略構成を、壁掛け設置の場合を例にとり説明する。図３は、第１の実施形態に係るプロジェクター用支持具にプロジェクターを固定した状態を示す図である。詳しくは、図３（ａ）は壁掛け設置において上方から見た斜視図であり、図３（ｂ）は側面から見た図である。図４は、壁掛け設置したプロジェクター用支持具にプロジェクターを固定してスクリーンに投写した状態を示す図である。詳しくは、図４（ａ）は投写面に対して正面から見た図であり、図４（ｂ）は側面から見た図である。
【００３６】
なお、プロジェクター用支持具１を壁掛け設置する場合において、壁面Ｗ（図４（ｂ）参照）の法線方向を前後方向として、壁面Ｗから離れる方向を前方向とし、壁面Ｗに向かう方向を後方向とする。また、前後方向と垂直となり、壁面Ｗに平行となる鉛直方向を上下方向として、重力に逆らう方向を上方向、重力に従う方向を下方向とする。そして、前後方向および上下方向（鉛直方向）と垂直となる方向を左右方向とし、壁面Ｗに向かって左側を左方向、右側を右方向とする。
【００３７】
図３（ａ），（ｂ）に示すように、第１の実施形態に係るプロジェクター用支持具１は、ベースプレート１０と、アーム２０とを備えている。ベースプレート１０は、設置面（壁面Ｗ）に設置される部分である。ベースプレート１０は、上下方向および左右方向に略平行な板状の基材１１を有している。ベースプレート１０は、カバー部材２に覆われている。カバー部材２の前方側には、開口部３が設けられている。
【００３８】
アーム２０は、ベースプレート１０に取り付けられている。アーム２０は、アーム部３０と、アーム部３０の前方の一端側に配置されプロジェクター５が取付られる取付部４０と、アーム部３０の後方の他端側に配置されベースプレート１０に取り付けられる嵌合部２１（図５（ａ）参照）と、を備えている。嵌合部２１はカバー部材２に覆われており、アーム部３０は嵌合部２１からカバー部材２の開口部３を介して前方に延出している。
【００３９】
取付部４０は、アーム部３０の前方側かつ下方側に取り付けられている。プロジェクター５は、底面７ｂ側が上方を向き、背面７ｃ側が後方（壁面Ｗ側）を向くようにして取付部４０に固定される。これにより、プロジェクター５は、表面７ａ側を下方に向けてアーム２０の下方に吊り下げられた状態で、プロジェクター用支持具１に支持固定される。
【００４０】
図４（ａ），（ｂ）に示すように、プロジェクター用支持具１は、投写面であるスクリーンＳが設置された壁面ＷにおけるスクリーンＳの上方に、プロジェクター５を支持固定した状態で設置される。プロジェクター５は、投写窓７２０（図１（ａ）参照）を介して、壁面Ｗの下方向に位置するスクリーンＳに向けて、二点鎖線で示す範囲に光束を投写する。
【００４１】
（第１の取付位置）
プロジェクター用支持具１は、ベースプレート１０に対するアーム２０の上下方向における位置（高さ）を異なる位置に設定でき、プロジェクター用支持具１に対するプロジェクター５の上下方向における取付位置（高さ）を選択できる機構を備えている。この機構により、天井の高さや壁面ＷにおけるスクリーンＳの高さ等の設置場所の状況に応じて、プロジェクター用支持具１の設置位置に対するプロジェクター５の高さを選択して設定できる。換言すれば、スクリーンＳに対するプロジェクター５の高さに対して、壁面Ｗにおけるプロジェクター用支持具１の設置高さを選択して設定することができる。
【００４２】
本実施形態では、プロジェクター用支持具１に対してプロジェクター５を、図３から図６に示す第１の取付位置と、図７に示す第２の取付位置との２通りの異なる取付位置に固定できるものとする。なお、図３（ｂ）に示すように、第１の取付位置において、プロジェクター用支持具１（カバー部材２）の上方側の端部２ａと、プロジェクター５の下方側の端部となる表面７ａとの上下方向における距離をＨ１とする。
【００４３】
また、プロジェクター用支持具１のアーム２０は、プロジェクター５の姿勢および投写位置を調整する機構を備えている。より具体的には、図３（ａ）に示すように、ベースプレート１０に対するプロジェクター５の、上下方向、前後方向、および左右方向における位置調整と、水平ロール（水平面に対する左右方向の傾き）、上下チルト（水平面に対する前後方向の傾き）、および水平回転（水平面に平行な面内での回転）の姿勢調整と、を行うことができる。これらの機構により、図４（ａ）に示すプロジェクター５から投写される投写画像の投写位置ＣがスクリーンＳの投写領域Ｂからずれた状態から、投写位置ＣがスクリーンＳの投写領域Ｂに合うように、プロジェクター５の姿勢および投写位置を容易に調整することができる。これらの機構の詳細については後述する。
【００４４】
次に、プロジェクター用支持具１の詳細構成を、図５および図６を参照して説明する。図５および図６は、第１の実施形態に係るプロジェクター用支持具の構成を説明する図である。詳しくは、図５（ａ）は第１の取付位置におけるベースプレートへのアームの取付位置を説明する図であり、図５（ｂ）はベースプレートの側面図である。また、図６（ａ）は第１の取付位置におけるプロジェクター用支持具を上方から見た斜視図であり、図６（ｂ）は下方から見た斜視図である。
【００４５】
（ベースプレートの構成）
まず、ベースプレート１０の構成を説明する。図５（ａ）に示すように、ベースプレート１０は、基材１１と、起立部１２，１３と、ネジ挿通孔１４と、第１の支持部１５ａと、第２の支持部１５ｂと、一対のアーム固定孔１６ａと、一対のアーム固定孔１６ｂとを有している。ベースプレート１０の上下方向における一端を端部１０ａと呼び、他端を端部１０ｂと呼ぶ。なお、図５（ａ）ではカバー部材２および取付部４０の図示を省略している。
【００４６】
基材１１は、略矩形の板状の部材である。起立部１２は、ベースプレート１０の剛性を確保するためのものであり、基材１１の外周の端部から前方に起立するように複数設けられている。ネジ挿通孔１４は、ベースプレート１０を壁面Ｗにネジ等で固定するための孔であり、基材１１の外周部に複数設けられている。起立部１３は、基材１１の中央部から前方に起立し上下方向に延在するとともに、左右方向において互いに対向するように一対設けられている。
【００４７】
第１の支持部１５ａおよび第２の支持部１５ｂは、互いに略平行であるとともに基材１１に略平行であり、起立部１３の延在方向と略直交する方向、すなわち左右方向に沿って延在する円柱形状を有している。第１の支持部１５ａおよび第２の支持部１５ｂは、それぞれ一対の起立部１３を貫通して起立部１３の延在方向（上下方向）における互いに異なる位置に固定されている。第１の支持部１５ａは端部１０ａ側に配置され、第２の支持部１５ｂは端部１０ｂ側に配置されている。第１の支持部１５ａおよび第２の支持部１５ｂの左右の両端部は起立部１３から突出しており、この突出した部分に嵌合部２１の引掛け部２４が回動可能に嵌合する。
【００４８】
アーム固定孔１６ａ，１６ｂは、一対の起立部１３のそれぞれの延在方向における第１の支持部１５ａと第２の支持部１５ｂとの間に設けられている。アーム固定孔１６ａは第２の支持部１５ｂ寄りに配置され、アーム固定孔１６ｂは第１の支持部１５ａ寄りに配置されている。アーム固定孔１６ａ，１６ｂは、嵌合部２１の折曲部２３を間に挟んで固定するための固定ネジ２７と螺合する。
【００４９】
ベースプレート１０は、ワッシャー（図示省略）を挿通させた固定ネジ（図示省略）をネジ挿通孔１４に挿通して壁面Ｗにねじ込むことにより、基材１１が設置面（壁面Ｗ）に略平行な状態で固定される。第１の取付位置においては、ベースプレート１０は、端部１０ａがプロジェクター用支持具１の上方側（図３（ｂ）における端部２ａ側）に位置するように配置される。したがって、第１の支持部１５ａは第２の支持部１５ｂよりも上方に配置される。そして、第１の取付位置においては、第１の支持部１５ａとアーム固定孔１６ａとがアーム２０（嵌合部２１）の固定に使用される。なお、後述する第２の取付位置においては、ベースプレート１０が上下を反転して配置され、第２の支持部１５ｂとアーム固定孔１６ｂとがアーム２０の固定に使用される。
【００５０】
図５（ｂ）に示すように、ベースプレート１０の端部１０ａと第１の支持部１５ａとの上下方向における距離Ｌ１は、ベースプレート１０の端部１０ｂと第２の支持部１５ｂとの上下方向における距離Ｌ２と異なり、Ｌ１＜Ｌ２となっている。アーム固定孔１６ａと第１の支持部１５ａとの上下方向における距離と、アーム固定孔１６ｂと第２の支持部１５ｂとの上下方向における距離とは同じである。
【００５１】
（アームの構成）
続いて、アーム２０の構成を説明する。図５（ａ）に示すように、アーム２０は、嵌合部２１と、アーム部３０と、取付部４０（図６（ａ），（ｂ）参照）とを有している。アーム部３０は、スライド枠部３１とスライド部３２とを有している。嵌合部２１とスライド枠部３１とは一体に構成されている。
【００５２】
嵌合部２１は、略矩形の基体２２と、基体２２の左右の両端部を略垂直に後方に折り曲げて形成した一対の折曲部２３とを有している。一対の折曲部２３の上部には、ベースプレート１０の第１の支持部１５ａおよび第２の支持部１５ｂに嵌合可能な径で切り欠かれた引掛け部２４が互いに対向する位置に形成されている。また、一対の折曲部２３のそれぞれの下部には、長孔部２５が互いに対向する位置に形成されている。
【００５３】
第１の取付位置においては、嵌合部２１の引掛け部２４を第１の支持部１５ａに嵌合させるとともに、長孔部２５をアーム固定孔１６ａの位置に合わせ、ワッシャー（図示省略）と長孔部２５とを挿通させて固定ネジ２７をアーム固定孔１６ａに螺合させることにより、アーム２０の嵌合部２１とスライド枠部３１とがベースプレート１０に固定される。
【００５４】
図６（ｂ）に示すように、基体２２におけるスライド枠部３１の下方側には、一対の調整ネジ２８が螺合するネジ孔２９が形成されている。アーム２０がベースプレート１０に取り付けられた状態では、調整ネジ２８はその先端が基材１１に突き当たるようにネジ孔２９に螺合される。ここで、調整ネジ２８を時計回りまたは反時計回りに回転させると、基体２２は基材１１に対して前後方向に移動する。そうすると、嵌合部２１は引掛け部２４が嵌合する第１の支持部１５ａ（第２の取付位置においては第２の支持部１５ｂ）の円柱形状の中心を回動軸として回動し、アーム部３０の先端側に取り付けられた取付部４０の上下方向における位置が変化する。これにより、スクリーンＳに対するプロジェクター５の上下方向における投写位置を調整することができる。
【００５５】
図６（ａ），（ｂ）に示すように、スライド枠部３１は、後方側の端部が基体２２に嵌合して固定されており、基体２２から前方に略垂直に延出するように設けられている。スライド枠部３１は、略矩形の板状部材の左右両側を上方向に湾曲させ、湾曲させた部分の端部をさらに内側に折り曲げて形成されている。スライド枠部３１の左右両側の折り曲げられた部分には、前後方向に沿って延びるスライド孔３１ａが設けられている。また、スライド枠部３１の前方かつ下方には、姿勢調整機構３８のための切欠部３１ｂが設けられている（図６（ｂ）参照）。
【００５６】
スライド部３２は、スライド枠部３１に略平行に前後方向に延在しており、スライド枠部３１の前方側からスライド枠部３１の折り曲げられた部分の内側に沿って挿入されている。スライド部３２は、スライド枠部３１に対して前後方向にスライド可能であり、スライド部３２をスライドさせることにより、アーム部３０の先端側に取り付けられた取付部４０の前後方向における位置が変化する。これにより、スクリーンＳに対するプロジェクター５の前後方向における投写位置を調整することができる。スライド部３２は、スライド孔３１ａに挿通された固定ネジ３３により、スライド枠部３１に固定される。
【００５７】
スライド部３２は、前方先端側に姿勢調整機構３８を備えている。図６（ｂ）に示すように、姿勢調整機構３８は、ベース部３７と、第１ダイヤル３４（図６（ａ）参照）と、第２ダイヤル３５と、第３ダイヤル３６とを有している。ベース部３７は、姿勢調整機構３８の下方側に配置されている。ベース部３７には、取付部４０がネジ４４により固定される。
【００５８】
姿勢調整機構３８において、第１ダイヤル３４を回動させると、スライド部３２に対するベース部３７の左右方向の傾きが変化して、水平ロール調整を行うことができる。第２ダイヤル３５を回動させると、スライド部３２に対するベース部３７の前後方向の傾きが変化して、上下チルト調整を行うことができる。第３ダイヤル３６を回動させると、スライド部３２に対するベース部３７の水平面に平行な面内での角度が変化して、水平回転調整を行うことができる。これらの機構により、アーム２０の取付部４０にプロジェクター５が取付けられた状態で、スクリーンＳに対するプロジェクター５の姿勢を容易かつ高精度に調整することができる。
【００５９】
取付部４０は、ベース部３７の下方に取り付けられる。取付部４０は、取付基材４１と、スライド受け部４２と、スライド孔４３と、ネジ挿通孔４５とを有している。スライド受け部４２は、取付基材４１から上方に起立し左右方向に延在するように設けられている。スライド孔４３は、スライド受け部４２に左右方向に沿って形成されている。ネジ挿通孔４５は、取付基材４１の４箇所に、プロジェクター５の固定用脚７３０に対応して設けられている。
【００６０】
取付部４０は、スライド孔４３に挿通されるネジ４４によりベース部３７に固定される。ネジ４４を緩めた状態で、ベース部３７に対して取付部４０をスライド孔４３に沿ってスライドさせることで、アーム部３０に対する取付部４０の左右方向における位置が変化する。これにより、スクリーンＳに対するプロジェクター５の左右方向における投写位置を調整することができる。
【００６１】
プロジェクター用支持具１を設置する方法の一例を説明する。まず、壁面Ｗにベースプレート１０を設置し、ベースプレート１０にスライド枠部３１と一体の嵌合部２１を取り付ける。次に、スライド部３２に取付部４０を固定し、取付部４０にプロジェクター５を取り付ける。そして、プロジェクター５が取り付けられたスライド部３２を、ベースプレート１０に取り付けられたスライド枠部３１に挿入して固定する。以上により、プロジェクター用支持具１が壁面Ｗに設置され、プロジェクター５がプロジェクター用支持具１により支持固定される。
【００６２】
プロジェクター５の上下方向、前後方向、および左右方向における位置調整と、水平ロール、上下チルト、および水平回転の姿勢調整とは、上述の設置過程で行うことができ、プロジェクター５がプロジェクター用支持具１に支持固定された後でも行うことができる。反射ミラーにより広角化して投写するプロジェクターでは、投写位置や姿勢のわずかなズレも投写面に対して大きなズレとなってしまう。本実施形態のプロジェクター用支持具１によれば、スクリーンＳ等の投写面に対してプロジェクター５の投写位置や姿勢を容易かつ高精度に調整することができる。
【００６３】
（第２の取付位置）
次に、第２の取付位置におけるプロジェクター用支持具１とプロジェクター５との位置関係について、図７を参照して説明する。図７は、第２の取付位置におけるベースプレートへのアームの取付位置を説明する図である。
【００６４】
図７（ａ）に示すように、第２の取付位置においては、ベースプレート１０は、端部１０ｂが上方側に位置するように、第１の取付位置とは上下を反転させた状態で配置される。すなわち、第２の取付位置においては、ベースプレート１０は、端部１０ｂが図７（ｂ）に示すプロジェクター用支持具１の上方側の端部２ａの側に配置される。したがって、第２の支持部１５ｂは第１の支持部１５ａよりも上方に配置される。
【００６５】
また、第２の取付位置においてアーム２０をベースプレート１０に取り付ける際は、第２の支持部１５ｂに嵌合部２１の引掛け部２４を嵌合させるとともに、長孔部２５を挿通させた固定ネジ２７をアーム固定孔１６ｂに螺合させてアーム２０を固定する。この結果、ベースプレート１０の上方側の端部１０ｂに対するアーム２０の高さは、第１の取付位置におけるベースプレート１０の上方側の端部１０ａに対するアーム２０の高さに対して、図５（ｂ）に示すＬ２−Ｌ１だけ低くなる。
【００６６】
図７（ｂ）に示すように、第２の取付位置において、プロジェクター用支持具１の上方側の端部２ａと、プロジェクター５の下方側の端部となる表面７ａとの上下方向における距離をＨ２とする。この距離Ｈ２を第１の取付位置におけるプロジェクター用支持具１の上方側の端部２ａとプロジェクター５の下方側の端部との距離Ｈ１（図３（ｂ）参照）と比較すると、Ｈ２−Ｈ１＝Ｌ２−Ｌ１となる。したがって、第２の取付位置では、壁面Ｗに対するベースプレート１０の設置位置が同じであっても、スクリーンＳに対するプロジェクター５の高さは第１の取付位置に比べてＬ２−Ｌ１だけ低くなる。
【００６７】
このように、本実施形態のプロジェクター用支持具１では、第１の取付位置と第１の取付位置よりも低い第２の取付位置とで、プロジェクター５を２通りの異なる高さに支持固定できる。例えば、天井が比較的低い部屋の壁面Ｗにプロジェクター用支持具１によりプロジェクター５を壁掛け設置する場合、壁面Ｗに設置するプロジェクター用支持具１の上方側の端部２ａの位置が天井により制約を受ける。このような場合、第１の取付位置を選択することで、ベースプレート１０を比較的低い位置に設置しても、ベースプレート１０の設置位置に対するプロジェクター５の位置を高く設定できる。
【００６８】
また、壁面Ｗに設置されたスクリーンやホワイトボード等の投写面の上端が比較的高い位置にある場合、プロジェクター用支持具１の下方側の端部２ｂの位置がスクリーンやホワイトボード等により制約を受ける。このような場合、第２の取付位置を選択することで、ベースプレート１０が比較的高い位置に設置されても、ベースプレート１０の設置位置に対するプロジェクター５の位置を低くできる。したがって、本実施形態のプロジェクター用支持具１の構成によれば、設置場所の環境に応じてプロジェクター５の相対的な位置を選択して設定できるので、プロジェクター用支持具１の設置位置が制約を受ける場合でもプロジェクター５を所望の位置に設置し易くすることができる。
【００６９】
さらに、プロジェクター用支持具１により、プロジェクター５を設置した後でも、プロジェクター５から投写される投写画像の投写位置ＣをスクリーンＳの投写領域Ｂに合うように容易かつ高精度に調整できる。以上により、本実施形態のプロジェクター用支持具１によれば、設置される場所の様々な環境に応じてプロジェクター５をスクリーンＳに合わせて設置し易くできるので、プロジェクター５の設置の自由度を向上させることができる。
【００７０】
なお、ベースプレート１０の上下方向の長さをより短くしてプロジェクター用支持具１の設置上の制約を緩和する方法も考えられるが、仮にこのようにした場合、壁面Ｗの設置面にかかる負荷（モーメント）が増大してしまうという課題がある。本実施形態のプロジェクター用支持具１の構成によれば、ベースプレート１０の上下方向の長さを短くして設置面にかかる負荷を増大させることなく、設置場所の環境による設置上の制約を緩和することができる。
【００７１】
（机上設置の場合）
次に、本実施形態のプロジェクター用支持具１によりプロジェクター５を机上に縦置きする机上設置について、図８および図９を参照して説明する。図８は、机上設置したプロジェクター用支持具にプロジェクターを固定してスクリーンに投写した状態を示す図である。詳しくは、図８（ａ）は上方から見た斜視図であり、図８（ｂ）は側面から見た図である。図９は、机上設置したプロジェクター用支持具を下方向から見た図である。
【００７２】
図８（ａ），（ｂ）に示すように、プロジェクター用支持具１を略水平な机上面Ｄに机上設置する場合、机上面Ｄに略平行にベースプレート１０（基材１１）が設置される。机上面Ｄと略直交する鉛直方向を上下方向として、重力に逆らう方向を上方向、重力に従う方向を下方向とする。机上面Ｄに平行で第１の支持部１５ａおよび第２の支持部１５ｂ（図９参照）の延在方向と直交する方向を前後方向として、プロジェクター５がアーム２０に取り付けられる側を前方向とし、その反対側を後方向とする。そして、第１の支持部１５ａおよび第２の支持部１５ｂの延在方向に沿った方向を左右方向とし、プロジェクター５に向かって左側を左方向、右側を右方向とする。
【００７３】
机上設置では、プロジェクター用支持具１におけるアーム２０とベースプレート１０との取り付け位置は、第１の取付位置となっている。プロジェクター５は、表面７ａが前方を向き、底面７ｂが後方を向き、背面７ｃが下方を向くようにしてアーム２０に固定される。机上面ＤにおけるスクリーンＳ等の投写面は、プロジェクター用支持具１に対して相対的に前方に配置される。プロジェクター５は、投写窓７２０（図１（ａ）参照）に対して前方かつ下方に位置するスクリーンＳに向けて、光束を投写する。
【００７４】
図８（ｂ）に示す重心Ｇは、プロジェクター５およびプロジェクター用支持具１を含む全体の重心である。第１の取付位置では、机上設置において、重心Ｇからの鉛直線がベースプレート１０の前後方向および左右方向における略中央を通過するように配置されている。したがって、プロジェクター５を支持固定した状態でプロジェクター用支持具１を机上面Ｄに縦置きにしても、転倒しにくく安定して設置することができる。
【００７５】
図９に示すように、ベースプレート１０の基材１１の設置面側（下方側）には、ゴムや発泡材等からなるクッション材１７が、例えば４箇所に配置されている。クッション材１７が配置されていることにより、基材１１が机上面Ｄに直接当たらないので、机上面Ｄにおける傷等の損傷防止を図ることができる。また、クッション材１７により、机上面Ｄとの間のがたつきや水平方向における滑り等を抑えることもできる。
【００７６】
基材１１の設置面側には、クッション材１７の配置位置に対応して凹状や凸状等のガイド部１８が設けられている。このガイド部１８により、クッション材１７を所定の位置に容易に配置することができる。なお、プロジェクター用支持具１を机上面Ｄの固定位置に設置する場合は、壁掛け設置と同様にネジ等でベースプレート１０を机上面Ｄに固定してもよい。
【００７７】
ところで、特許文献１に記載のプロジェクターは、机上設置する際に天吊設置用の保持機構とは別に机上設置専用のスタンドを必要とするが、このスタンドはプロジェクターの姿勢や投写位置を調整する機構を有していない。このようなスタンドで設置した状態では、反射ミラーにより広角化して投写するプロジェクターの投写面に対する位置調整が容易に行えない。これに対して、本実施形態のプロジェクター用支持具１は、壁掛け設置と机上設置との双方に共通に用いることができるとともに、プロジェクター５の姿勢や投写位置の調整を容易かつ高精度に行うことができる。
【００７８】
以上、第１の実施形態に係るプロジェクター用支持具１の構成によれば、以下の効果が得られる。
【００７９】
（１）プロジェクター５をプロジェクター用支持具１により支持固定する際に、設置場所の環境に応じてプロジェクター５とベースプレート１０との相対的な位置を２通りのいずれかに設定できる。これにより、プロジェクター用支持具１の設置位置が制約を受ける場合でもプロジェクター５を所望の位置に設置し易くなるので、プロジェクター５の設置の自由度を向上させることができる。
【００８０】
（２）プロジェクター５を支持固定した状態で、プロジェクター用支持具１を机上面Ｄ等の略水平な面に安定して設置することができる。これにより、同じプロジェクター用支持具１を壁掛け設置と机上設置との双方に共通に用いることができる。
【００８１】
（３）壁掛け設置と机上設置との双方において、プロジェクター５の姿勢および投写位置を容易に調整することができるので、設置される場所の様々な環境に応じてプロジェクター５をスクリーンＳに合わせて設置し易くできる。
【００８２】
（４）ベースプレート１０の設置面側にクッション材１７が配置されているので、設置面における傷等の損傷防止を図ることができる。
【００８３】
（５）ベースプレート１０にクッション材１７を配置するためのガイド部１８が設けられているので、クッション材１７を所定の位置に容易に配置することができる。
【００８４】
（第２の実施形態）
次に、第２の実施形態に係るプロジェクター用支持具について、図１０および図１１を参照して説明する。第２の実施形態に係るプロジェクター用支持具は、第１の実施形態に係るプロジェクター用支持具に対して、ベースプレートにアーム固定孔が３対設けられており、第１の取付位置および第２の取付位置と異なる第３の取付位置にも取り付け可能である点が異なっているが、その他の構成はほぼ同じである。
【００８５】
図１０および図１１は、第２の実施形態に係るプロジェクター用支持具の構成を説明する図である。第２の実施形態に係るプロジェクター用支持具１Ａは、第１の実施形態に係るプロジェクター用支持具１と同様に、壁掛け設置および机上設置が可能な構造となっている。ここでは、壁面Ｗ（図４（ａ）参照）に壁掛け設置する場合を例にとり説明する。なお、第１の実施形態と共通する構成要素については、同一の符号を付しその説明を省略する。
【００８６】
＜プロジェクター用支持具＞
図１０（ａ）に示すように、第２の実施形態に係るプロジェクター用支持具１Ａは、ベースプレート５０と、アーム２０とを備えている。ベースプレート５０は、基材１１と、起立部１２，５１と、ネジ挿通孔１４と、第１の支持部１５ａと、第２の支持部１５ｂと、一対のアーム固定孔１６ａと、一対のアーム固定孔１６ｂと、一対のアーム固定孔１６ｃとを有している。アーム固定孔１６ｃは、アーム固定孔１６ａ，１６ｂと同様に、固定ネジ２７と螺合する。
【００８７】
起立部５１は、基材１１の中央部から前方に起立し上下方向に延在するとともに、左右方向において互いに対向するように一対設けられており、第１の実施形態の起立部１３に比べて第２の支持部１５ｂの下方側が前方に延出した形状を有している。一対の起立部５１には、第１の支持部１５ａおよび第２の支持部１５ｂが固定されるとともに、アーム固定孔１６ａ，１６ｂ，１６ｃが設けられている。
【００８８】
図１０（ｂ）に示すように、アーム固定孔１６ｃは第２の支持部１５ｂよりも端部５０ｂ側に配置されている。アーム固定孔１６ｃと第２の支持部１５ｂとの上下方向における距離は、アーム固定孔１６ａと第１の支持部１５ａとの上下方向における距離、およびアーム固定孔１６ｂと第２の支持部１５ｂとの上下方向における距離と同じである。
【００８９】
また、第２の支持部１５ｂは、上下方向における端部５０ａと端部５０ｂとの中央からずれた位置に配置されている。端部５０ａと第２の支持部１５ｂとの上下方向における距離Ｌ３は、端部５０ａと第１の支持部１５ａとの上下方向における距離Ｌ１、および端部５０ｂと第２の支持部１５ｂとの上下方向における距離Ｌ２と異なり、Ｌ１＜Ｌ２＜Ｌ３となっている。
【００９０】
第２の実施形態に係るプロジェクター用支持具１Ａでは、ベースプレート５０に対するアーム２０の取付位置として、第１の実施形態のプロジェクター用支持具１と同様に第１の取付位置および第２の取付位置を選択できるだけでなく、さらに第３の取付位置を選択することができる。
【００９１】
なお、第１の取付位置においては、端部５０ａが上方側に位置するようにベースプレート５０が配置され、第１の支持部１５ａとアーム固定孔１６ａとがアーム２０の固定に使用される。第２の取付位置においては、端部５０ｂが上方側に位置するようにベースプレート５０が配置され、第２の支持部１５ｂとアーム固定孔１６ｂとがアーム２０の固定に使用される。
【００９２】
（第３の取付位置）
続いて、第３の取付位置について説明する。図１０（ａ）に示すように、第３の取付位置においては、第１の取付位置と同様に、ベースプレート５０は端部５０ａが上方側に位置するように配置される。第３の取付位置においては、第１の支持部１５ａよりも下方に配置された第２の支持部１５ｂに嵌合部２１の引掛け部２４を嵌合させるとともに、長孔部２５を挿通する固定ネジ２７をアーム固定孔１６ｃに螺合させて、図１１（ａ）に示すようにアーム２０をベースプレート５０に取り付ける。
【００９３】
第３の取付位置において、ベースプレート５０の上方側の端部５０ａに対するアーム２０の高さは、第１の取付位置におけるベースプレート５０の上方側の端部５０ａに対するアーム２０の高さに対してＬ３−Ｌ１だけ低くなり、第２の取付位置におけるベースプレート５０の上方側の端部５０ｂに対するアーム２０の高さに対してＬ３−Ｌ２だけ低くなる。
【００９４】
図１１（ｂ）に示すように、第３の取付位置において、プロジェクター用支持具１Ａの上方側の端部２ａと、プロジェクター５の下方側の端部となる表面７ａとの上下方向における距離をＨ３とする。第１の取付位置におけるプロジェクター用支持具１Ａの上方側の端部２ａとプロジェクター５の下方側の端部との距離は、第１の実施形態と同じＨ１（図３（ｂ）参照）となり、距離Ｈ３を距離Ｈ１とを比較すると、Ｈ３−Ｈ１＝Ｌ３−Ｌ１となる。また、第２の取付位置におけるプロジェクター用支持具１Ａの上方側の端部２ａとプロジェクター５の下方側の端部との距離は、第１の実施形態と同じＨ２（図７（ｂ）参照）となり、距離Ｈ３を距離Ｈ２とを比較すると、Ｈ３−Ｈ２＝Ｌ３−Ｌ２となる。したがって、第３の取付位置では、プロジェクター用支持具１Ａの上方側の端部２ａに対するプロジェクター５の位置は、第１の取付位置よりもＬ３−Ｌ１だけ低くなり、第２の取付位置よりもＬ３−Ｌ２だけ低くなる。すなわち、第３の取付位置では、壁面Ｗに対するベースプレート５０の設置位置が同じであっても、第１の取付位置および第２の取付位置に比べてスクリーンＳに対するプロジェクター５の高さをより低く設定することができる。このように、第２の実施形態に係るプロジェクター用支持具１Ａの構成によれば、プロジェクター５とベースプレート５０との相対的な位置を３通りのいずれかに設定できるので、プロジェクター５の設置の自由度をより向上させることができる。
【００９５】
また、第２の実施形態に係るプロジェクター用支持具１Ａの構成によれば、ベースプレート５０の上下を反転させなくても、第１の取付位置および第３の取付位置のいずれかを選択することができる。したがって、ベースプレート５０を壁面Ｗに設置したままの状態でも、プロジェクター５の取付位置を２通りのいずれかに設定することができる。
【００９６】
以上、本発明のプロジェクターを上記の実施形態に基づいて説明したが、本発明はこれに限定されるものではなく、本発明の趣旨から逸脱しない範囲で様々な変形を加えることができる。変形例としては、例えば以下のようなものが考えられる。
【００９７】
（変形例１）
上記実施形態におけるプロジェクター用支持具は、第１の支持部１５ａおよび第２の支持部１５ｂの２つの支持部を備えた構成を有していたが、このような構成に限定されない。プロジェクター用支持具は、３つ以上の支持部をベースプレートの異なる位置に備え、各支持部に対応するアーム固定孔を備えた構成を有していてもよい。３つ以上の支持部を備える構成とすれば、さらにプロジェクターの設置の自由度を向上させることができる。
【００９８】
（変形例２）
上記実施形態におけるプロジェクター用支持具は、プロジェクター５を支持固定するための支持具であったが、このような用途に限定されない。プロジェクター用支持具の構成は、様々な設置場所において所望の位置に設置する必要のあるプロジェクター以外の各種装置にも適用することが可能である。
【符号の説明】
【００９９】
１，１Ａ…プロジェクター用支持具、５…プロジェクター、１０，５０…ベースプレート、１０ａ，５０ａ…一端としての端部、１０ｂ，５０ｂ…他端としての端部、１７…クッション材、１８…ガイド部、１５ａ…第１の支持部、１５ｂ…第２の支持部、２０…アーム、２１…嵌合部、３８…姿勢調整機構、４０…取付部、Ｄ…設置面としての机上面、Ｇ…重心、Ｓ…投写面としてのスクリーン、Ｗ…設置面としての壁面。
【図１】
0005582014.tif 000002
【図２】
0005582014.tif 000003
【図３】
0005582014.tif 000004
【図４】
0005582014.tif 000005
【図５】
0005582014.tif 000006
【図６】
0005582014.tif 000007
【図７】
0005582014.tif 000008
【図８】
0005582014.tif 000009
【図９】
0005582014.tif 000010
【図１０】
0005582014.tif 000011
【図１１】
0005582014.tif 000012